(57)【要約】【課題】ビデオプレーヤー、及び、その電子システムを提供する。【解決手段】ビデオプレーヤーは、第一接続線により、第一ビデオ信号をディスプレイ装置に伝送する。ビデオプレーヤーは、少なくとも一つの第一出力端と第二出力端、及び、コントローラーからなる。第一、第二出力端は第一ビデオ信号を出力する。コントローラーは、第一、及び、第二出力端が第一接続線によりディスプレイ装置に接続されているか判断する。第一出力端が第一接続線によりディスプレイ装置に接続される時、コントローラーは、第一ビデオ信号を第一出力端だけに提供する。第二出力端が第一接続線によりディスプレイ装置に接続される時、コントローラーは第一ビデオ信号を第二出力端だけに提供する。【選択図】図２
2006350314.tif 000002
【特許請求の範囲】
【請求項１】
第一接続線により、第一ビデオ信号をディスプレイ装置に伝送するビデオプレーヤーであって、
前記第一ビデオ信号を出力する少なくとも一つの第一出力端、及び、第二出力端と、
前記第一、第二出力端が、前記第一接続線により、前記ディスプレイ装置に接続されるかを判断し、前記第一出力端が前記第一接続線により前記ディスプレイ装置に接続される時、前記第一ビデオ信号を前記第一出力端だけに提供し、前記第二出力端が前記第一接続線によりディスプレイ装置に接続される時、前記第一ビデオ信号を前記第二出力端だけに提供するコントローラーと、
からなることを特徴とするビデオプレーヤー。
【請求項２】
前記第一出力端が前記第一接続線により、前記ディスプレイ装置に接続され、前記第二出力端が前記第二接続線により、前記ディスプレイ装置に接続される時、前記コントローラーは、前記第一ビデオ信号、及び、第二ビデオ信号を、それぞれ、前記第一、及び、第二出力端に提供することを特徴とする請求項１に記載のビデオプレーヤー。  
【請求項３】
前記第一出力端が前記第一接続線により、前記ディスプレイ装置に接続され、前記第二出力端が前記第二接続線により、前記ディスプレイ装置に接続される時、前記コントローラーは、前記第一ビデオ信号を、前記第一出力端だけに提供することを特徴とする請求項１に記載のビデオプレーヤー。
【請求項４】
前記第一、及び、第二出力端は、ビデオ端子、S端子、及び、色差端子の中の二者であることを特徴とする請求項１に記載のビデオプレーヤー。
【請求項５】
前記第一出力端、及び、第一電圧源の間に接続される第一抵抗と、
前記第二出力端、及び、前記第一電圧源の間に接続される第二抵抗と、
を更に有し、
前記第一、或いは、第二出力端が、前記第一接続線により、前記ディスプレイ装置に接続される時、前記ディスプレイ装置の抵抗は、それぞれ、前記第一、或いは、前記第二抵抗と、第一、或いは、第二分圧回路を構成し、前記第一分圧回路は第一分圧点を有し、前記第二分圧回路は第二分圧点を有することを特徴とする請求項１に記載のビデオプレーヤー。
【請求項６】
前記コントローラーは、前記第一、及び、第二分圧点の電圧に基づいて、前記第一、及び、第二出力端が、前記第一接続線により、前記ディスプレイ装置に接続されるかを判断することを特徴とする請求項５に記載のビデオプレーヤー。
【請求項７】
前記コントローラーは、
前記第一分圧点の電圧を転換する第一コンバータと、
前記第二分圧点の電圧を転換する第二コンバータと、
転換後の電圧に基づいて、前記第一、及び、第二出力端が、前記第一接続線により、前記ディスプレイ装置に接続されるかを判断するプロセッサと、
からなることを特徴とする請求項６に記載のビデオプレーヤー。
【請求項８】
前記第一、及び、第二コンバータは、アナログデジタルコンバータであることを特徴とする請求項７に記載のビデオプレーヤー。
【請求項９】
前記コントローラーは、
前記第一分圧点に接続される第一スイッチと、
前記第二分圧点に接続される第二スイッチと、
前記第一、及び、第二スイッチにより、前記第一、或いは、第二分圧の電圧を受信、並びに転換するコンバータと、
前記第一及び、第二スイッチを順に導通させ、前記コンバータに前記第一、及び、第二分圧点の電圧を順に転換させると共に、転換後の前記第一、及び、第二分圧点の電圧に基づいて、前記第一、及び、第二出力端が、前記第一接続線により、前記ディスプレイ装置に接続されるかを判断するプロセッサと、
からなることを特徴とする請求項６に記載のビデオプレーヤー。
【請求項１０】
前記コンバータは、アナログデジタルコンバータであることを特徴とする請求項９に記載のビデオプレーヤー。
【請求項１１】
電子システムであって、
画面を表示するディスプレイ装置と、
第一接続線と、
前記第一接続線により、第一ビデオ信号を前記ディスプレイ装置に伝送するビデオプレーヤーと、
からなり、
前記第一信号を前記ディスプレイ装置に出力する少なくとも一つの第一出力端、及び、第二出力端と、
前記第一、及び、第二出力端が、前記第一接続線により、前記ディスプレイ装置に接続されるかを判断し、前記第一出力端が前記第一接続線により前記ディスプレイ装置に接続される時、前記第一ビデオ信号を前記第一出力端だけに提供し、前記第二出力端が前記第一接続線によりディスプレイ装置に接続される時、前記第一ビデオ信号を前記第二出力端だけに提供するコントローラーと、
からなることを特徴とする電子システム。
【請求項１２】
更に、第二接続線を含み、前記第一出力端が前記第一接続線により、前記ディスプレイ装置に接続され、前記第二出力端が前記第二接続線により、前記ディスプレイ装置に接続される時、前記コントローラーは、前記第一ビデオ信号、及び、第二ビデオ信号を、それぞれ、前記第一、及び、第二出力端に提供することを特徴とする請求項１１に記載の電子システム。
【請求項１３】
更に、第二接続線を含み、前記第一出力端が前記第一接続線により、前記ディスプレイ装置に接続され、前記第二出力端が前記第二接続線により、前記ディスプレイ装置に接続される時、前記コントローラーは、前記第一ビデオ信号を、前記第一出力端だけに提供することを特徴とする請求項１１に記載の電子システム。
【請求項１４】
前記第一、及び、第二出力端は、ビデオ端子、S端子、及び、色差端子の中の二者であることを特徴とする請求項１１に記載の電子システム。
【請求項１５】
更に、
前記第一出力端、及び、第一電圧源の間に接続される第一抵抗と、
前記第二出力端、及び、前記第一電圧源の間に接続される第二抵抗と、
からなり、
前記第一、或いは、第二出力端が、前記第一接続線により、前記ディスプレイ装置に接続される時、前記ディスプレイ装置の抵抗は、それぞれ、前記第一、或いは、前記第二抵抗と、第一、或いは、第二分圧回路を構成し、前記第一分圧回路は第一分圧点を有し、前記第二分圧回路は第二分圧点を有することを特徴とする請求項１１に記載の電子システム。
【請求項１６】
前記コントローラーは、前記第一、及び、第二分圧点の電圧に基づいて、前記第一、及び、第二出力端が、前記第一接続線により、前記ディスプレイ装置に接続されるかを判断することを特徴とする請求項１５に記載の電子システム。
【請求項１７】
前記コントローラーは、
前記第一分圧点の電圧を転換する第一コンバータと、
前記第二分圧点の電圧を転換する第二コンバータと、
転換後の電圧に基づいて、前記第一、及び、第二出力端が、前記第一接続線により、前記ディスプレイ装置に接続されるかを判断するプロセッサと、
からなることを特徴とする請求項１６に記載の電子システム。
【請求項１８】
前記第一、及び、第二コンバータは、アナログデジタルコンバータであることを特徴とする請求項１７に記載の電子システム。  
【請求項１９】
前記コントローラーは、
前記第一分圧点に接続される第一スイッチと、
前記第二分圧点に接続される第二スイッチと、
前記第一、及び、第二スイッチにより、前記第一、或いは、第二分圧の電圧を受信、並びに転換するコンバータと、
前記第一及び、第二スイッチを順に導通させ、前記コンバータに前記第一、及び、第二分圧点の電圧を順に転換させると共に、転換後の前記第一、及び、第二分圧点の電圧に基づいて、前記第一、及び、第二出力端が、前記第一接続線により、前記ディスプレイ装置に接続されるかを判断するプロセッサと、
からなることを特徴とする請求項１６に記載の電子システム。
【請求項２０】
前記コンバータは、アナログデジタルコンバータであることを特徴とする請求項１９に記載の電子システム。
【発明の詳細な説明】
【技術分野】
【０００１】
本発明はプレーヤーに関するものであって、特に、ビデオプレーヤーに関するものである。
【背景技術】
【０００２】
図１は、テレビとデジタルビデオディスク（デジタルバーサタイルディスク、DVD）プレーヤーの接続を示す図である。テレビ１１はビデオ端子１１１、S端子１１２、及び、色差端子１１３、を有する。ビデオ端子１１１は、AV端子中、ビデオ伝送を担う端子である。DVDプレーヤーは、ビデオ端子１２１、S端子１２２、及び、色差端子１２３、を有する。DVDプレーヤー１２は接続線１３１〜１３３により、ビデオ信号を異なる端子によりテレビ１１に伝送する。
【０００３】
接続線１３１は、テレビ１１のビデオ端子１１１とDVDプレーヤー１２のビデオ端子１２１を接続し、接続線１３２は、テレビ１１のS端子１１２とDVDプレーヤー１２のS端子１２２を接続する。接続線１３３は、テレビ１１の色差端子１１３とDVDプレーヤー１２の色差端子１２３を接続する。
【０００４】
公知のDVDプレーヤーのビデオ信号の出力端は、ビデオ端子１２１、及び、S端子１２２に設定される。よって、使用者は、接続線１３１、或いは、１３２を利用するだけで、DVDプレーヤー１２のビデオ端子１２１、或いは、S端子１２２とテレビ１１のビデオ端子１１１、或いは、S端子１１２を接続し、テレビ１１は、DVDプレーヤー１２が出力するビデオ信号を受信することができる。
【０００５】
DVDプレーヤー１２のビデオ信号の出力端は色差端子１２３に設定されるのではないので、よって、使用者は色差端子１２３が出力する高解像度のビデオ信号を鑑賞したい時、DVDプレーヤー１２のビデオ信号の出力端を色差端子１２３に設定する必要がある。
【０００６】
公知の設定方式は、まず、接続線１３１によりDVDプレーヤー１２のビデオ端子１２１、及び、テレビ１１のビデオ端子１１１を電気的に接続するか、或いは、接続線１３２により、DVDプレーヤー１２のS端子１２２、及び、テレビ１１のS端子１１２を電気的に接続する。
【０００７】
その後、接続線１３１、或いは、１３２を利用して、DVDプレーヤー１２の設定画面をテレビ１１に伝送し、設定画面を表示して、使用者に選択させる。使用者は設定画面を通じて、ビデオ信号の出力端を色差端子に設定し、DVDプレーヤー１２のビデオ信号を本来のビデオ端子１２１、或いは、S端子１２２から、色差端子１２３に切り換えて出力する。
【０００８】
最後に、使用者は接続線１３３によりDVDプレーヤー１２の色差端子１２３、及び、テレビ１１の色差端子１１３を電気的に接続し、テレビ１１が、色差端子１２３から提供され、高解像度のビデオ信号を受信することができる。
【０００９】
しかし、公知のDVDプレーヤー１２はビデオ信号を、ビデオ端子１２１、及び、S端子１２２から出力しなければならないので、使用者が公知の設定方法を使用して、ビデオ信号の出力端を色差端子１２３に変更する場合、ビデオ端子の接続線１３１、或いは、S端子の接続線１３２を余分に使用して、テレビ１１にDVDプレーヤー１２の設定画面を表示させなければならない。
【００１０】
使用者が色差端子の接続線１３３だけを有する時、いかなる画面も鑑賞することができず、DVDプレーヤー１２のビデオ信号の出力端を変更することもできない。
【発明の開示】
【発明が解決しようとする課題】
【００１１】
本発明は、ビデオプレーヤーを提供し、上述の問題を解決することを目的とする。
【課題を解決するための手段】
【００１２】
本発明のビデオプレーヤーは、第一接続線により、第一ビデオ信号をディスプレイ装置に伝送する。本発明のビデオプレーヤーは、少なくとも一つの第一出力端と第二出力端、及び、コントローラーからなる。第一、第二出力端は第一ビデオ信号を出力する。コントローラーは、第一、及び、第二出力端が第一接続線によりディスプレイ装置に接続されているか判断する。第一出力端が第一接続線によりディスプレイ装置に接続される時、コントローラーは、第一ビデオ信号を第一出力端だけに提供する。第二出力端が第一接続線によりディスプレイ装置に接続される時、コントローラーは第一ビデオ信号を第二出力端だけに提供する。
【００１３】
本発明は、電子システムを提供し、ディスプレイ装置、第一接続線、及び、ビデオプレーヤーからなる。ディスプレイ装置は画面を表示する。ビデオプレーヤーは、第一接続線により、第一ビデオ信号をディスプレイ装置に伝送する。ビデオプレーヤーは、少なくとも一つの第一出力端、及び、第二出力端、及び、コントローラーからなる。第一、第二出力端は第一ビデオ信号を出力する。コントローラーは、第一、及び、第二出力端が第一接続線によりディスプレイ装置に接続されているか判断する。第一出力端が第一接続線によりディスプレイ装置に接続される時、コントローラーは、第一ビデオ信号を第一出力端だけに提供する。第二出力端が第一接続線によりディスプレイ装置に接続される時、コントローラーは第一ビデオ信号を第二出力端だけに提供する。
【発明の効果】
【００１４】
本発明の電子システムは、接続線によりビデオプレーヤー、及び、ディスプレイ装置に接続されるかを自動的に検出し、これにより、検出結果に基づいて、ビデオ信号を特定の出力端から自動出力するか、或いは、使用者は自身で、ソフトウェアにより、信号の出力端を設定することができるので、便利さが一層増す。
【発明を実施するための最良の形態】
【００１５】
図２は、本発明の電子システムの内部構造を示す図である。電子システム２０は、ビデオプレーヤー２１、ディスプレイ装置２２、及び、接続線２３１〜２３３、からなる。
【００１６】
ビデオプレーヤー２１は、接続線２３１、２３２、或いは、２３３により、ビデオ信号をディスプレイ装置２２に伝送する。ビデオプレーヤー２１は出力端２１１〜２１３、及び、コントローラー２１４、からなる。本実施例中、出力端２１１はビデオ端子、出力端２１２はS端子、及び、出力端２１３は色差端子を表し、高画質のビデオ信号を出力する。
【００１７】
コントローラー２１４は、出力端２１１〜２１３が接続線２３１〜２３３によりディスプレイ装置２２の入力端２２１〜２２３に接続されているかどうかを判断する。出力端２１１が接続線２３１によりディスプレイ装置２２の入力端２２１に接続される時、コントローラー２１４はビデオ信号を出力端２１１だけに提供する。出力端２１２が接続線２３２によりディスプレイ装置２２の入力端２２２に接続される時、コントローラー２１４はビデオ信号を出力端２１２だけに提供する。出力端２１３が接続線２３３によりディスプレイ装置２２の入力端２２３に接続される時、コントローラー２１４はビデオ信号を出力端２１３だけに提供する。
【００１８】
ディスプレイ装置２２はテレビで、例えば、ハイビジョンテレビ(高精細度テレビジョン；HDTV)である。ディスプレイ装置２２は、入力端２２１〜２２３を有し、ビデオ信号を受信する。本実施例中、入力端２２１はビデオ端子、入力端２２２はS端子、及び、入力端２２３は色差端子を表す。入力端２２３が受信するビデオ信号が対応する画面は高解像度の画面である。
【００１９】
本実施例は三個の入力端、及び、三個の出力端を例とするが、二個の入力端、及び、二個の出力端の実施例に応用することもできる。
【００２０】
ビデオ端子が伝送する信号はビデオ輝度信号Y、及び、ビデオ陰影信号Cを結合した混合ビデオ信号であるゆえ、一本の接続線２３１だけが必要である。S端子はそれぞれ、ビデオ輝度信号Y、及び、ビデオ陰影信号Cを伝送するので、二本の接続線２３２が必要である。色差端子は、ビデオ陰影信号Cを色差信号Pb、Prに分離した後、ビデオ輝度信号Yと一緒に伝送するので、三本の接続線２３３が必要であり、色差信号Pb、Pr、及び、ビデオ輝度信号Yを伝送する。
【００２１】
ビデオプレーヤー２１は引き上げ（プル  ハイ）抵抗RH１〜RH６を有し、それぞれ、高電圧源Vcc、及び、出力端２１３〜２１１間に接続される。同様に、ディスプレイ装置２２は引き下げ（プル  ロウ）抵抗RL１〜RL６を有し、それぞれ、低電圧源GNDと入力端２２３〜２２１間に接続される。
【００２２】
任意の接続線２３１〜２３３が入力端２２１〜２２３と出力端２１１〜２１３を接続する時、対応する引き上げ抵抗RH１〜RH６は、対応する引き下げ抵抗RL１〜RL６と分圧回路を構成し、分圧点P１〜P６の電圧は変化を生じる。これにより、コントローラー２１４は分圧点P１〜P６の電圧に基づいて、出力端２１１〜２１３が、２３１〜２３３により入力端２２１〜２２３に接続されるか判断する。
【００２３】
図３は、本発明のコントローラーの一具体例を示す図である。図で示されるように、コントローラー２１４はコンバータ３１〜３６、及び、プロセッサ３７を有する。本実施例中、コンバータ３１〜３６はアナログデジタルコンバータ（ADC)で、分圧点P１〜P６の電圧をデジタル値に転換する。プロセッサ３７は、転換後のデジタル値に基づいて、出力端２１１〜２１３が入力端２２１〜２２３に接続されているか判断する。
【００２４】
図４は、本発明のコントローラーのもう一つの具体例を示す図である。コントローラー２１４は、スイッチSW１〜SW６、コンバータ４１、及び、プロセッサ４２、からなる。プロセッサ４２はスイッチSW１〜SW６を制御し、分圧点P１〜P６の電圧をコンバータ４１に順に提供する。コンバータ４１はADCで、分圧点P１〜P６の電圧はデジタル値に転換されると共に、プロセッサ４２に出力される。プロセッサ４２は、更に、転換後のデジタル値に基づいて、出力端２１１〜２１３が入力端２２１〜２２３に接続されるかどうかを判断する。
【００２５】
図２、図４を参照すると、例えば、出力端２１１〜２１３が接続線２３１〜２３３により入力端２２１〜２２３に接続されない時、分圧点P１〜P６のピーク電圧は約２Vである。引き上げ抵抗RH１〜RH６の抵抗は引き下げRL１〜RL６の抵抗に等しい。コンバータ４１は１０ビットのADCで、電圧転換の範囲は２V〜０Vであり、コンバータ４１の出力端DB９〜DB０は、転換後のデジタル値を出力する。出力端DB９は、最上位のビット（MSB）を出力し、出力端DB８は最下位ビット（LSB）を出力する。
【００２６】
ビデオプレーヤー２２の出力端２１１が接続線２３１によりディスプレイ装置２２の入力端２２１に接続される時、分圧点P６のピーク電圧は約１Vに変化し、分圧点P１〜P５のピーク電圧は、約２Vで維持される。
【００２７】
プロセッサ４２は、スイッチSW１〜SW６を順に導通させ、コンバータ４１は、分圧点P１〜P６の電圧を順に受信すると共に、それをデジタル値に転換する。コンバータ４１は転換後のデジタル値をプロセッサ４２に伝送する。分圧点P１〜P６の電圧はアナログ信号に属するので、プロセッサ４２はスイッチSW１〜SW６の導通を一定時間（約１ms）維持し、分圧点P１〜P６のピーク電圧を測量する。
【００２８】
分圧点P１〜P５のピーク電圧は約２Vで、故に、コンバータ４１の出力端DB８〜DB０が出力するデジタル値は１１１１１１１１１１である。コンバータ４１は分圧点P６の電圧を受信した後、出力端DB９〜DB０が出力するデジタル値は０１１１１１０１００である。
【００２９】
プロセッサ４２はコンバータ４１が出力するデジタル値に基づいて、出力端２１１が接続線２３１により、入力端２２１に接続されたことを知り、これにより、ビデオ信号は出力端２１１から出力される。
【００３０】
プロセッサ４２が、出力端２１１、及び、２１３がそれぞれ、接続線２３１、及び、２３３により入力端２２１、及び、２２３に接続されることを検出した場合、出力端２１１、或いは、２１３により、ビデオ信号をディスプレイ装置２２に出力し、ビデオ信号が対応する選択画面を表示する。使用者は選択画面に基づいて、出力端２１１、及び、２１３中から、一者をビデオ信号の出力端として選択する。この他、プロセッサ４２により、ビデオ信号の出力端を入力端２１１、或いは、２１３に自動設定する。
【００３１】
図５ａ〜図５ｆは、プロセッサの判断結果を示す。図５ａで示されるように、プロセッサ４２は、入力端２１１〜２１３が接続線２３１〜２３３により、入力端２２１〜２２３に接続されると判断した時、プロセッサ４２はビデオ信号の出力端を出力端２１１、２１２、或いは、２１３に自動的に設定するか、或いは、出力端２１１、２１２、或いは、２１３を利用して、選択画面をディスプレイ装置２２に出力し、使用者に自身でビデオ信号の出力端を選択させるか、或いは、一般のビデオプレーヤー２１が有する真空蛍光ディスプレイ(VFD)により選択画面を表示して、使用者がビデオ信号の出力端を選択する。
【００３２】
図５ｂで示されるように、プロセッサ４２は、出力端２１１、及び、２１２が、各自、接続線２３１、及び、２３２により入力端２２１、及び、２２２に接続されると判断した時、プロセッサ４２は、ビデオ信号の出力端を出力端２１１、或いは、２１２に自動的に設定する。プロセッサ４２は、出力端２１１、或いは、２１２により、選択画面を出力し、使用者に自身でビデオ信号の出力端を選択させる。
【００３３】
図５ｃ〜図５ｆは、プロセッサ４２のその他の判断結果を表示し、その原則は上述のようであり、ここに詳述しない。
【００３４】
本発明の電子システムは、接続線によりビデオプレーヤー、及び、ディスプレイ装置に接続されるかを自動的に検出し、これにより、検出結果に基づいて、ビデオ信号を特定の出力端から自動出力するか、或いは、使用者は自身で、ソフトウェアにより、信号の出力端を設定することができるので、便利さが一層増す。
【００３５】
本発明では好ましい実施例を前述の通り開示したが、これらは決して本発明に限定するものではなく、当該技術を熟知する者なら誰でも、本発明の精神と領域を脱しない範囲内で各種の変動や潤色を加えることができ、従って本発明の保護範囲は、特許請求の範囲で指定した内容を基準とする。
【図面の簡単な説明】
【００３６】
【図１】テレビとDVDプレーヤーの接続を示す図である。
【図２】本発明の電子システムの内部を示す図である。
【図３】本発明のコントローラーの具体例を示す図である。
【図４】本発明のコントローラーのもう一つの具体例を示す図である。
【図５ａ】プロセッサの判断結果を示す図である。
【図５ｂ】プロセッサの判断結果を示す図である。
【図５ｃ】プロセッサの判断結果を示す図である。
【図５ｄ】プロセッサの判断結果を示す図である。
【図５ｅ】プロセッサの判断結果を示す図である。
【図５ｆ】プロセッサの判断結果を示す図である。
【符号の説明】
【００３７】
１１              テレビ
１１１、１２１    ビデオ端子
１１２、１２２    S端子
１１３、１２３    色差端子
１２              DVDプレーヤー
１３１〜１３３、２３１〜２３３    接続線
２０              電子システム
２１              ビデオプレーヤー
２２              ディスプレイ装置
２２１〜２２３    入力端
RH１〜RH６        引き上げ抵抗
RL１〜RL６        引き下げ抵抗
３１〜３６、４１  コンバータ
３７、４２        プロセッサ
SW１〜SW６        スイッチ
【図１】
2006350314.tif 000003
【図２】
2006350314.tif 000004
【図３】
2006350314.tif 000005
【図４】
2006350314.tif 000006
【図５ａ】
2006350314.tif 000007
【図５ｂ】
2006350314.tif 000008
【図５ｃ】
2006350314.tif 000009
【図５ｄ】
2006350314.tif 000010
【図５ｅ】
2006350314.tif 000011
【図５ｆ】
2006350314.tif 000012